(57)【要約】【課題】見出し部の表示内容を多方向から視認することができるホルダを提供することにある。【解決手段】表シート１１と、これに連なる裏シート１２とを備え、これらシート１１，１２間に書類を収容可能に設けた二縁開放型のホルダ１０であり、当該ホルダ１０は、裏シート部１２の開放側端縁から突出する見出し部１３を備えている。見出し部１３は、見出し部形成片１４を折り曲げるとともに、その折り曲げた先端側と裏シート部１２の開放側内面とに溶着部２６を設けることによって形成される。見出し部１３の基部には、折り曲げ部３０、３１が形成されており、これら折り曲げ部３０，３１は、見出し部１３を裏シート部１２の外縁から突出させた状態で所定の折り曲げ角度θを維持するようになっている。【選択図】図３
2010184463.tif 000002
【特許請求の範囲】
【請求項１】
表裏のシート部間に書類を収納可能に設けるとともに、前記シート部の外縁から突出する見出し部を設けたホルダであって、
前記見出し部の基部に形成された折り曲げ部を含み、当該折り曲げ部は、前記見出し部を前記シート部の面内から突出させた状態で所定の角度位置に折り曲げた姿勢を維持することを特徴とするホルダ。
【請求項２】
前記見出し部は、前記シート部と同一面内で突出する平面位置を基準位置としたときに、当該基準位置に対して２０〜７０度の角度範囲内に折り曲げられることを特徴とする請求項１記載のホルダ。
【請求項３】
前記見出し部は、前記シート部と同一面内で突出する平面位置を基準位置としたときに、当該基準位置に対して３０〜６０度の角度範囲内に折り曲げられることを特徴とする請求項１記載のホルダ。
【請求項４】
前記見出し部は、前記シート部の外縁に一体に連なる見出し部形成片の先端側をシート部の内面側に重ね合わせて溶着部を設けることで形成され、
前記溶着部により前記見出し部が前記シート部の内面側に重なり合わないように設けられていることを特徴とする請求項１、２又は３記載のホルダ。
【請求項５】
平面形状が方形となる一枚のシートの中央部を折り曲げて襠部を設けるとともに、当該襠部に連なる一縁若しくは二縁を封止して少なくとも一縁を開放させ、当該開放するシート部外縁から突出する見出し部を設けたホルダであって、
前記見出し部は、前記シート部と同一面内で突出する平面位置を基準位置としたときに、当該基準位置に対して３０〜６０度の角度範囲内に折り曲げられるとともに、基部側に溶着部を備え、当該溶着部により、前記見出し部が前記シート部の内面に重なり合わないように設けられていることを特徴とするホルダ。
【発明の詳細な説明】
【技術分野】
【０００１】
本発明はホルダに係り、例えば、クリアホルダの開放側縁から外側に突出する見出し部を設けた場合の当該見出し部に表示されたタイトル等の内容を多方向から見ることのできるホルダに関する。
【背景技術】
【０００２】
一枚の透明な樹脂シートを折り曲げて二縁を開放したクリアホルダが市販され、オフィスなどにおいて多用されている。この種のホルダの中には、開放縁側の一部に、当該開放縁から突出する見出し部を設けたものが知られている（例えば、特許文献１参照）。
【先行技術文献】
【特許文献】
【０００３】
【特許文献１】実用新案登録第３０８０７５４号公報
【発明の概要】
【発明が解決しようとする課題】
【０００４】
特許文献１に記載されたホルダは、開放縁側に複数の見出し部を設け、使用しない見出し部を１８０度折り曲げて表裏のシート間に挟み込みできるように構成されている。そして、使用する見出し部をホルダの面と同一平面内に保ち、当該見出し部に所定の見出しを付して使用するようになっている。
このようなホルダは、前記見出し部が手前側となるように立てて多数枚を横並びに収容する場合がある。この場合、見出し部の面は左右に向いているので、当該見出し部に記載された内容は正面側から視認することができないものとなる。従って、見出し部の内容は、左右何れかの方向から見ることによって確認できるに過ぎず、視認性という点で改善すべき余地があった。
【０００５】
［発明の目的］
本発明は、このような不都合に着目して案出されたものであり、その目的は、見出し部の表示内容を多方向から視認することができるホルダを提供することにある。
【課題を解決するための手段】
【０００６】
前記目的を達成するため、本発明は、表裏のシート部間に書類を収納可能に設けるとともに、前記シート部の外縁から突出する見出し部を設けたホルダであって、
前記見出し部の基部に形成された折り曲げ部を含み、当該折り曲げ部は、前記見出し部を前記シート部の面内から突出させた状態で所定の角度位置に折り曲げた姿勢を維持する、という構成を採っている。
【０００７】
本発明において、前記見出し部は、前記シート部と同一面内で突出する平面位置を基準位置としたときに、当該基準位置に対して２０〜７０度の角度範囲内に折り曲げられる、という構成を採ることができる。
【０００８】
また、前記見出し部は、前記シート部と同一面内で突出する平面位置を基準位置としたときに、当該基準位置に対して３０〜６０度の角度範囲内に折り曲げられる、という構成を採ることが好ましい。
【０００９】
更に、前記見出し部は、前記シート部の外縁に一体に連なる見出し部形成片の先端側をシート部の内面側に重ね合わせて溶着部を設けることで形成され、
前記溶着部により前記見出し部が前記シート部の内面側に重なり合わないように設けられる、という構成を採っている。
【００１０】
また、本発明は、平面形状が方形となる一枚のシートの中央部を折り曲げて襠部を設けるとともに、当該襠部に連なる一縁若しくは二縁を封止して少なくとも一縁を開放させ、当該開放するシート部外縁から突出する見出し部を設けたホルダであって、
前記見出し部は、前記シート部と同一面内で突出する平面位置を基準位置としたときに、当該基準位置に対して３０〜６０度の角度範囲内に折り曲げられるとともに、基部側に溶着部を備え、当該溶着部により、前記見出し部が前記シート部の内面に重なり合わないように設けられる、という構成を採っている。
【発明の効果】
【００１１】
本発明によれば、見出し部がシート部の外縁から突出した状態で、所定の角度に折り曲げられた姿勢を維持するため、シート部の面と直交する方向と、シート部の面に沿う方向の何れからも見出し部に表示された内容を視認できるようになる。従って、見出し部が手前側となるように、ホルダを机上等に立てた姿勢としても、正面から見出し部の内容を見ることができる。
特に、前記シート部の面と同一面内となる基準位置に対して２０〜７０度の角度範囲内で見出し部の内容を見ることができるので、折り曲げ角度に一定の許容幅を持たせることができ、つまり、折り曲げ角度の厳格性が要求されることはなく広角度での視認性を得ることができる。また、前記角度を３０〜６０度の範囲としたときには、見出し部の内容を一層見易くすることができる。
更に、見出し部を形成する見出し部形成用シートの先端側をシート部に溶着する構成により、見出し部の基部側に剛性が付与され、見出し部がシート部の面内に完全に重なって覆われてしまう不都合を回避して、見出し部がシート部の外縁から常に突出した姿勢を維持できるようになる。
【図面の簡単な説明】
【００１２】
【図１】本実施形態に係るホルダの正面図。
【図２】図１のＡ−Ａ線断面図。
【図３】図２の一部拡大図。
【図４】ホルダの内面側展開図。
【図５】見出し部を折り曲げる前のホルダを表シート部側から見た概略斜視図。
【図６】見出し部を折り曲げた後のホルダを裏シート部側から見た概略斜視図。
【図７】（Ａ）〜（Ｃ）は、図６のａ〜ｃ方向から見出し部をそれぞれ見たときの説明図。
【発明を実施するための形態】
【００１３】
以下、本発明の好ましい実施形態を、図面を参照しながら詳細に説明する。
【００１４】
図１ないし図３に示されるように、ホルダ１０は内部に書類が収納可能に設けられた二縁開放型として形成されている。このホルダ１０は、透明な樹脂製シートからなる表裏シート部１１、１２と、裏シート部１２の外縁から突出する見出し部１３とを備えて構成されている。ホルダ１０は、その形成前の状態において、図４の展開図に示されるように、上下幅が左右幅よりも長い方形の表シート部１１の右端側に裏シート部１２が連なり、当該裏シート部１２の右端外縁に見出し部形成片１４が連なるシートを用いて形成される。表シート部１１と裏シート部１２との間は襠部４０とされ、当該襠部４０はプレス型等によって形成される複数の折り筋１５〜１７により形成される。表シート１１の下端縁には、折り筋１８を介して片状の延長部２０が設けられる一方、裏シート部１２の下端縁には折り筋２２を介して溶着用片２３が設けられている。また、延長部２０の領域内には、折り筋１８と平行に延びる折り筋２４が設けられている。なお、前記表シート部１１の図４中左端上部には切欠部１１Ａが形成され、この切欠部１１Ａによって表シート部１１が捲り易く設けられる。
【００１５】
前記見出し部形成片１４は、裏シート部１２と同一面内に位置する第１の形成片１４Ａと、この第１の形成片１４Ａに折り曲げ線２５を介して連なる第２の形成片１４Ｂとを含む。折り曲げ線２５は、図４中左右方向中心に対して幾分左側にシフトした位置の上下方向に沿って設けられており、当該折り曲げ線２５の位置を谷折りして第１の形成片１４Ａに第２の形成片１４Ｂを重ね合わせたときに、当該第２の形成片１４Ｂの自由端側、すなわち、図４中右端側が裏シート部１２の外縁側内面に重ね合わされ、その重ね合う領域に溶着部２６（図１参照）を設けることによって上下に開通する見出し部１３が形成できるようになっている。ここで、裏シート部１２と第１の形成片１４Ａとの境界部分及び第２の形成片１４Ｂの自由端側には、上下方向に沿う折り曲げ部３０、３１がプレス型等によって筋状に形成され、これら折り曲げ部３０，３１により、見出し部１３を所定角度折り曲げできるようになっている。
【００１６】
ホルダ１０を形成する場合には、先ず、前記見出し部形成片１４の折り曲げ線２５位置で当該見出し部形成片１４を二枚厚となるように折り曲げて溶着部２６を設ける。
次いで、前記折り筋１６を山折りする一方、折り筋１５，１７を谷折りすることによって襠部４０を形成しつつ表シート部１１と裏シート部１２の各内面側を相対させる。これと前後して、前記延長部２０を折り筋２４で谷折りし、当該折り筋２４から延長部２０の下端縁までの領域を溶着用片２３の外面側に重ね合わせて延長部２０と溶着用片２３とを溶着する。これにより、図５に示されるように、二縁開放型のホルダ１０が完成する。
なお、見出し部１３には、図３に示されるように、上下の何れかの端から見出し用紙Ｐが挿入できるようになっており、当該見出し用紙Ｐの面内に所定の見出しが付される。
【００１７】
次に、本実施形態におけるホルダ１０の作用について説明する。
【００１８】
所定の見出しが付された見出し用紙Ｐを見出し部１３に挿入した後、当該見出し部１３の基部、すなわち、前記折り曲げ部３０、３１の位置で見出し部１３を折り曲げる。この際、見出し部１３を形成するための溶着部２６が、当該溶着部２６とその周辺に剛性を付与するため、見出し部１３が裏シート部１２の内面に重なる位置まで折り曲げ姿勢を保有できないようになっている。従って、見出し部１３を裏シート部１２に重なる位置まで強制的に折り曲げて当該折り曲げ力を解除したときに、元の平面位置に戻ろうとする弾性復元力により、見出し部１３は、裏シート部１２の外縁から突出した状態まで戻ることとなる。本実施形態では、前記折り曲げ部３０，３１の形成により、裏シート部１２の面と同一平面Ｌ（図３参照）を基準位置としたときに、見出し部１３は、その折り曲げ角度θ、例えば、４５度程度となる姿勢を維持するようになっている。なお、この角度θは、見出し部１３を強制的に折り曲げる力の強弱に伴う折り曲げ癖により、或いは、一旦折り曲げた後に、指先で元の平面位置に戻す操作を途中まで行うこと等によって調整可能である。見出し部１３の折り曲げ角度θは、２０〜７０度の範囲に保つことで見出し部１３に記載された内容を視認できることが実証される。
【００１９】
これを更に詳述すると、前記見出し部１３の折り曲げ角度θが、例えば、４５度である場合には、図６中ａ、ｃ方向から見出し部１３を見たときは、対称的に略同じように見出し部１３内に挿入された見出し用紙Ｐの表示内容を見ることができる。また、図６中ｂ方向から見出し部１３を見た場合も、同様に見出し部１３の内容を見ることができる。
従って、見出し部１３を手前側とし、襠部４０を奥行き側として机上若しくはキャビネット内に立てた姿勢で配置したときに、その左右両側はもとより、手前側からも見出し部１３の表示内容を見ることが可能となり、多数のホルダ１０が横方向に相互に密着する状態で立て掛けられた状態での検索性を良好に確保することができる。
【００２０】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００２１】
例えば、前記見出し部１３の形成位置は特に限定されるものではなく、上下方向の位置が異なる複数種とすることができ、これにより、多数のホルダ１０を密着させた際の見出し検索性を高めることができる。また、見出し部１３は、表シート１１側に設けることもできるとともに、ホルダ１０の上縁側に位置するように設けてもよい。
更に、ホルダ１０は、二縁開放型のものに限らず、一縁開放型のポケットファイルと一般に称されるホルダにも適用することができる。
また、見出し部１３は、その表面に見出しを直接記入することでもよい。
更に、見出し部１３の折り曲げ方向は前記実施形態に限定されるものではなく、反対側に折り曲げるようにしてもよい。但し、前記実施形態で示した方向に折り曲げて用いた場合には、多数のホルダを並べたときに隣接するホルダとの干渉を回避することができる点で有利となる。
また、折り曲げ部３０は、プレス型等によって筋状に形成されるものに限らず、ミシン目等を形成することによって設けることもできる。
【符号の説明】
【００２２】
１０  ホルダ
１１  表シート部
１２  裏シート部
１３  見出し部
１４  見出し部形成片
２６  溶着部
３０、３１折り曲げ部
θ  折り曲げ角度
【図１】
2010184463.tif 000003
【図２】
2010184463.tif 000004
【図３】
2010184463.tif 000005
【図４】
2010184463.tif 000006
【図５】
2010184463.tif 000007
【図６】
2010184463.tif 000008
【図７】
2010184463.tif 000009